(57)【要約】【課題】複数の異なる方向に沿って電線を導出できる電線カバー及び該電線カバーを備えたコネクタを提供する。【解決手段】コネクタは、コネクタハウジングと電線カバー４とを備えている。電線カバー４は、カバー本体４０と導入開口部５１と導出開口部５２とを備えている。導出開口部５２は、カバー本体４０に設けられ、導入開口部５１を通ってカバー本体４０内に導入された電線を内側に通して該電線をカバー本体４０外に導出する。導出開口部５２は、第１の開口部５２ａと第２の開口部５２ｂとを備えている。第１の開口部５２ａは、コネクタハウジングのカバー本体４０が取り付けられる嵌合面に対して平行な矢印Ｘに沿って電線をカバー本体４０外に導出可能である。第２の開口部５２ｂは、矢印Ｘに直交（交差）する矢印Ｙに沿って電線をカバー本体４０外に導出可能である。【選択図】図５
2010055978.tif 000002
【特許請求の範囲】
【請求項１】
コネクタハウジングに取り付けられて該コネクタハウジング内の端子金具に接続された電線の外周を覆うカバー本体と、
前記カバー本体に設けられ、前記カバー本体が前記コネクタハウジングに取り付けられると前記コネクタハウジングからこのコネクタハウジング外に突出した前記電線を内側に通して該電線を前記カバー本体内に導入する導入開口部と、
前記カバー本体に設けられ、前記導入開口部を通って前記カバー本体内に導入された前記電線を内側に通して該電線を前記カバー本体外に導出する導出開口部と、を備えた電線カバーにおいて、
前記導出開口部が、
前記コネクタハウジングの前記カバー本体が取り付けられる嵌合面に対して平行な一方向に沿って前記電線を前記カバー本体外に導出可能な第１の開口部と、
前記一方向に交差する他方向に沿って前記電線を前記カバー本体外に導出可能な第２の開口部と、を備えたことを特徴とする電線カバー。
【請求項２】
前記第１の開口部と前記第２の開口部とが、互いに連通して設けられたことを特徴とする請求項１に記載の電線カバー。
【請求項３】
前記第１の開口部の近傍の前記カバー本体の外表面から前記一方向に沿って突出して設けられ、前記第１の開口部から導出された前記電線が重ねられてこの電線とともに固定部材を巻き付けられて前記電線を一方向に沿って固定する第１の電線固定部と、
前記第２の開口部の近傍の前記カバー本体の外表面から前記他方向に沿って突出して設けられ、前記第２の開口部から導出された前記電線が重ねられてこの電線とともに固定部材を巻き付けられて前記電線を他方向に沿って固定する第２の電線固定部と、を備えたことを特徴とする請求項１または請求項２に記載の電線カバー。
【請求項４】
前記第１の電線固定部と前記第２の電線固定部とが、それぞれ、
前記電線が重ねられる平板部と、前記平板部の一端と前記カバー本体の外表面とを連結してこの平板部を回転自在に支持するヒンジと、前記平板部の他端に設けられかつ前記カバー本体の外表面に係止可能な係止部と、を備え、
前記カバー本体が、前記係止部と係止する係止受け部を備えたことを特徴とする請求項３に記載の電線カバー。
【請求項５】
前記係止部が、前記平板部の外表面から突出した係止突起とされ、
前記係止受け部が、前記カバー本体の外壁を貫通した係止孔とされていることを特徴とする請求項４に記載の電線カバー。
【請求項６】
コネクタハウジングと、このコネクタハウジングに取り付けられる請求項１ないし請求項５のうちいずれか一項に記載の電線カバーと、を備えたことを特徴とするコネクタ。
【発明の詳細な説明】
【技術分野】
【０００１】
本発明は、電線の接続等に使用されるコネクタハウジングに取り付けられる電線カバー及び該電線カバーを備えたコネクタに関する。
【背景技術】
【０００２】
移動体としての自動車には、多種多様な電子機器が搭載される。この自動車は、前記電子機器に電力や制御信号等を伝えるために、ワイヤハーネスを配索している。ワイヤハーネスは、複数の電線と、コネクタとを備えている。電線は、導電性の芯線と、該芯線を被覆する絶縁性の被覆部とを備えた所謂被覆電線である。
【０００３】
コネクタは、端子金具と、コネクタハウジングとを備えている。端子金具は、導電性の板金を折り曲げて形成され、電線の端末に取り付けられて該電線の芯線と電気的かつ機械的に接続される。コネクタハウジングは、絶縁性の合成樹脂等で構成され、箱状に形成されている。コネクタハウジングには、端子収容室が複数設けられている。端子収容室は、コネクタハウジングを貫通した空間である。端子収容室は、端子金具を内部に収容する。
【０００４】
前述したコネクタハウジングには、電線カバーが取り付けられることがある（例えば、特許文献１参照）。電線カバーは、カバー本体と、導入開口部と、導出開口部とを備えている。カバー本体は、コネクタハウジングに取り付けられて、コネクタハウジング内の端子金具に接続された電線の外周を覆う。
【０００５】
導入開口部は、カバー本体に設けられ、カバー本体がコネクタハウジングに取り付けられるとコネクタハウジングからこのコネクタハウジング外に突出した電線を内側に通して該電線をカバー本体内に導入する。
【０００６】
導出開口部は、カバー本体に設けられ、導入開口部を通ってカバー本体内に導入された電線を内側に通して該電線をカバー本体外に導出する。導出開口部は、コネクタハウジングのカバー本体が取り付けられる嵌合面に対して平行な一方向に沿って電線をカバー本体外に導出する。また、導出開口部の外縁には、前記一方向に沿って突出した樋形状の電線固定部が設けられている。
【０００７】
前述した電線カバーによって、端子金具に接続された電線は、導入開口部を通してカバー本体内に導入される。そして、前記電線は、カバー本体内でＬ字状に曲げられて、結束バンドによって電線固定部に固定され、導出開口部を通して前記一方向に沿ってカバー本体外に導出される。
【特許文献１】特開２００２−３４３４９７号公報
【発明の開示】
【発明が解決しようとする課題】
【０００８】
しかしながら、前述した特許文献１に記載された電線カバーにおいては、電線を前記一方向にしか導出できなかった。このため、電線の導出方向が限定されてしまうといった問題があった。
【０００９】
本発明は、このような問題を解決することを目的としている。即ち、本発明は、複数の異なる方向に沿って電線を導出できる電線カバー及び該電線カバーを備えたコネクタを提供することを目的としている。
【課題を解決するための手段】
【００１０】
前記課題を解決し目的を達成するために、請求項１に記載された発明は、コネクタハウジングに取り付けられて該コネクタハウジング内の端子金具に接続された電線の外周を覆うカバー本体と、前記カバー本体に設けられ、前記カバー本体が前記コネクタハウジングに取り付けられると前記コネクタハウジングからこのコネクタハウジング外に突出した前記電線を内側に通して該電線を前記カバー本体内に導入する導入開口部と、前記カバー本体に設けられ、前記導入開口部を通って前記カバー本体内に導入された前記電線を内側に通して該電線を前記カバー本体外に導出する導出開口部と、を備えた電線カバーにおいて、前記導出開口部が、前記コネクタハウジングの前記カバー本体が取り付けられる嵌合面に対して平行な一方向に沿って前記電線を前記カバー本体外に導出可能な第１の開口部と、前記一方向に交差する他方向に沿って前記電線を前記カバー本体外に導出可能な第２の開口部と、を備えたことを特徴とした電線カバーである。
【００１１】
請求項２に記載された発明は、請求項１に記載された電線カバーにおいて、前記第１の開口部と前記第２の開口部とが、互いに連通して設けられたことを特徴とした電線カバーである。
【００１２】
請求項３に記載された発明は、請求項１または請求項２に記載された電線カバーにおいて、前記第１の開口部の近傍の前記カバー本体の外表面から前記一方向に沿って突出して設けられ、前記第１の開口部から導出された前記電線が重ねられてこの電線とともに固定部材を巻き付けられて前記電線を一方向に沿って固定する第１の電線固定部と、前記第２の開口部の近傍の前記カバー本体の外表面から前記他方向に沿って突出して設けられ、前記第２の開口部から導出された前記電線が重ねられてこの電線とともに固定部材を巻き付けられて前記電線を他方向に沿って固定する第２の電線固定部と、を備えたことを特徴とした電線カバーである。
【００１３】
請求項４に記載された発明は、請求項３に記載された電線カバーにおいて、前記第１の電線固定部と前記第２の電線固定部とが、それぞれ、前記電線が重ねられる平板部と、前記平板部の一端と前記カバー本体の外表面とを連結してこの平板部を回転自在に支持するヒンジと、前記平板部の他端に設けられかつ前記カバー本体の外表面に係止可能な係止部と、を備え、前記カバー本体が、前記係止部と係止する係止受け部を備えたことを特徴とした電線カバーである。
【００１４】
請求項５に記載された発明は、請求項４に記載された電線カバーにおいて、前記係止部が、前記平板部の外表面から突出した係止突起とされ、前記係止受け部が、前記カバー本体の外壁を貫通した係止孔とされていることを特徴とした電線カバーである。
【００１５】
請求項６に記載された発明は、コネクタハウジングと、このコネクタハウジングに取り付けられる請求項１ないし請求項５のうちいずれか一項に記載の電線カバーと、を備えたことを特徴としたコネクタである。
【発明の効果】
【００１６】
請求項１に記載された発明によれば、第１の開口部を通して一方向に沿って電線をカバー本体外に導出でき、第２の開口部を通して他方向に沿って電線をカバー本体外に導出できる。したがって、複数の異なる方向に沿って電線を導出でき、電線の導出方向の自由度を向上させることができる。
【００１７】
請求項２に記載された発明によれば、電線を第１の開口部と第２の開口部とに亘って移動させて、電線の導出方向を容易に選択できる。また、電線カバーを簡単な構造とすることができる。
【００１８】
請求項３に記載された発明によれば、電線と第１の電線固定部とに固定部材を巻き付けることによって、第１の開口部を通った電線を確実に一方向に沿って導出できる。また、電線と第２の電線固定部とに固定部材を巻き付けることによって、第２の開口部を通った電線を確実に他方向に沿って導出できる。さらに、第１の開口部と第２の開口部とが互いに連通して設けられた場合であっても、電線を確実に一方向（あるいは他方向）に沿って導出できる。
【００１９】
請求項４に記載された発明によれば、係止部と係止受け部とが互いに係止することによって平板部をカバー本体に重ね合わせた状態で保持できる。したがって、使用しない側の（使用しないときの）電線固定部を格納でき、電線カバーを小型化できる。
【００２０】
請求項５に記載された発明によれば、係止突起を係止孔内に通すことによって係止突起が係止孔内に確実に係止され、平板部をカバー本体に重ね合わせた状態で確実に保持できる。さらに、係止突起を中心にして電線の長手方向両側に固定部材を巻き付けることによって、係止突起に固定部材が引っ掛かって、電線の長手方向に沿った固定部材のずれを防止できる。
【００２１】
請求項６に記載された発明によれば、請求項１ないし請求項５のうちいずれか一項に記載の電線カバーを備えているので、カバー本体内に導入された電線を、第１の開口部を通して一方向に沿ってカバー本体外に導出でき、第２の開口部を通して他方向に沿ってカバー本体外に導出できる。したがって、複数の異なる方向に電線を導出でき、電線の導出方向の自由度を向上させることができる。
【発明を実施するための最良の形態】
【００２２】
以下、本発明の一実施形態にかかるコネクタを図１ないし図８を参照して説明する。本発明の一実施形態にかかるコネクタ１は、図１及び図２に示すように、コネクタハウジング２と、レバー３と、電線カバー４とを備えている。
【００２３】
コネクタハウジング２は、絶縁性の合成樹脂等で構成されている。コネクタハウジング２は、図１等に示すように、筒状のハウジング本体２０と、レバー支持突起２１と、図示しないレバーロックアーム、カム突起通し孔、カバーロック部とを備えている。
【００２４】
ハウジング本体２０は、矢印Ｙに沿った筒状に形成されている。矢印Ｙは、コネクタ１の相手方のコネクタ（図示せず）との嵌合方向をなしている。ハウジング本体２０の一方の開口２０ａには、矢印Ｙに沿って相手方のコネクタが挿入される。また、ハウジング本体２０の他方の開口２０ｂには、矢印Ｙに沿って電線カバー４が挿入される。矢印Ｙは、さらに、電線カバー４の取付方向をなしている。そして、この他方の開口２０ｂを覆う平面は、コネクタハウジング２のカバー本体４０が取り付けられる嵌合面Ｓ（図１中、一点鎖線で示す）とされている。嵌合面Ｓは、矢印Ｙに直交する平面であり、後述する矢印Ｘに平行な平面である。ハウジング本体２０は、端子収容室を複数備えている。端子収容室は、矢印Ｙに沿った直線状に形成されており、互いに平行に並べられている。端子収容室は、端子金具を内部に収容する。
【００２５】
端子金具は、導電性の板金を折り曲げて形成され、複数設けられている。端子金具は、電気接触部と電線接続部とを備えている。電気接触部は、コネクタハウジング２が相手方のコネクタハウジングと嵌合すると、相手方のコネクタの端子金具と電気的に接続する。電線接続部は、電気接触部に連なっている。電線接続部は、電線６と電気的及び機械的に接続する。電線６は、導電性の芯線と、該芯線を被覆した絶縁性の被覆部とを備えた所謂被覆電線である。電線６は、それぞれの端子金具に対応して複数設けられている。
【００２６】
レバー支持突起２１は、円柱状に形成され、ハウジング本体２０の外表面の中央に設けられている。レバー支持突起２１は、ハウジング本体２０の外表面からハウジング本体２０の外方向に突出している。レバー支持突起２１は、互いの間にハウジング本体２０の中心軸を位置付けるように一対設けられている。レバー支持突起２１は、レバー３の回転中心をなしている。
【００２７】
レバーロックアームは、ハウジング本体２０の外表面に設けられ、それぞれのレバー支持突起２１の近傍に設けられている。レバーロックアームは、片持ちアーム状に形成され、ハウジング本体２０の内方向に向かって弾性変形自在に設けられている。レバーロックアームは、後述する初期位置に位置付けられたレバー３の後述するロック孔３５内に進入して、レバー３を初期位置に係止する。
【００２８】
カム突起通し孔は、ハウジング本体２０の外壁を貫通している。カム突起通し孔は、ハウジング本体２０の一方の開口２０ａ側の端部からハウジング本体２０の中心に向かって矢印Ｙに沿って延びている。カム突起通し孔は、相手方のコネクタハウジングの外表面から突出したカム突起を内部に通す。
【００２９】
カバーロック部は、ハウジング本体２０の他方の開口２０ｂ側の端部に設けられている。カバーロック部は、電線カバー４の後述するロック爪４４と係合して、コネクタハウジング２に電線カバー４を取り付ける。
【００３０】
レバー３は、絶縁性の合成樹脂等で構成されている。レバー３は、図１等に示すように、一対の側板３１と、連結板３２とを備え、断面コ字状に形成されている。一対の側板３１は、平板状に形成され、互いに間隔をあけて互いに平行に設けられている。一対の側板３１には、丸孔３３と、カム孔３４、ロック孔３５とが設けられている。
【００３１】
丸孔３３は、一対の側板３１のそれぞれの側板３１に設けられている。丸孔３３は、側板３１の中央を貫通している。丸孔３３は、コネクタハウジング２のレバー支持突起２１を内部に通す。
【００３２】
カム孔３４は、一対の側板３１のそれぞれの側板３１に設けられている。カム孔３４は、側板３１を貫通し、側板３１の端部から丸孔３３を中心とした周方向に沿って側板３１の中央に向かって延びている。カム孔３４は、側板３１の端部から中央に向かうにしたがって徐々に丸孔３３に近づく方向に延びている。カム孔３４は、相手方のコネクタハウジングのカム突起を内部に通す。
【００３３】
ロック孔３５は、一対の側板３１のそれぞれの側板３１に設けられている。ロック孔３５は、側板３１の丸孔３３及びカム孔３４の近傍を貫通している。ロック孔３５は、コネクタハウジング２のレバーロックアームを内部に通して、レバー３を初期位置に係止する。
【００３４】
連結板３２は、一対の側板３１の一端同士を互いに連結している。連結板３２の電線カバー４と相対する内面には、ロック部が設けられている。ロック部は、電線カバー４と係合して、レバー３を後述する係止位置に係止する。
【００３５】
前述したレバー３は、一対の側板３１の間にハウジング本体２０を位置付けるようにハウジング本体２０の外表面に重ねられ、かつ、丸孔３３内にレバー支持突起２１が通されて、これら丸孔３３及びレバー支持突起２１を中心として回転自在にコネクタハウジング２に取り付けられる。レバー３は、初期位置と係止位置とに亘って矢印Ｐに沿って回転自在にコネクタハウジング２に取り付けられる。
【００３６】
初期位置とは、ロック孔３５内にコネクタハウジング２のレバーロックアームが係止した状態である。このとき、カム孔３４とコネクタハウジング２のカム突起通し孔とが連通し、この連通したカム孔３４とカム突起通し孔とに相手方のコネクタハウジングのカム突起が進入する。また、係止位置とは、ロック部が電線カバー４の後述するロック受け部４５に係合した状態である。このとき、カム孔３４内の最奥部に相手方のコネクタハウジングのカム突起が位置付けられ、コネクタハウジング２と相手方のコネクタハウジングとが最接近して嵌合する。
【００３７】
電線カバー４は、絶縁性の合成樹脂等で構成されている。電線カバー４は、図３及び図４に示すように、カバー本体４０と、導入開口部５１と、導出開口部５２と、第１の電線固定部５３ａと、第２の電線固定部５３ｂとを備えている。
【００３８】
カバー本体４０は、図３及び図４に示すように、外壁としての一対の側壁４１、４２と、連結壁４３とを備え、断面コ字状に形成されている。一対の側壁４１、４２は、平面略台形状の平板状に形成されている。一対の側壁４１、４２は、互いに間隔をあけて互いに平行に設けられている。一対の側壁４１、４２には、それぞれ、ロック爪４４が一対設けられている。ロック爪４４は、側壁４１、４２のコネクタハウジング２と相対する外縁４１ａ、４２ａに設けられ、矢印Ｙに沿って延びている。
【００３９】
連結壁４３は、一対の側壁４１、４２の一端同士を互いに連結している。連結壁４３には、ロック受け部４５が設けられている。ロック受け部４５は、連結壁４３の長手方向に沿って延びかつ一端が連結壁４３に連なった片持ちアーム状に形成されている。ロック受け部４５は、カバー本体４０の内方向に向かって弾性変形自在に設けられている。ロック受け部４５は、係止位置に位置付けられたレバー３のロック部と係合して、レバー３を係止位置に係止する。
【００４０】
導入開口部５１は、カバー本体４０に設けられている。導入開口部５１は、図３等に示すように、一対の側壁４１、４２の前述した外縁４１ａ、４２ａと、これら外縁４１ａ、４２ａに連なる連結壁４３の外縁と、に囲まれた開口である。導入開口部５１は、カバー本体４０がコネクタハウジング２に取り付けられると、コネクタハウジング２からこのコネクタハウジング２外に突出した電線６を矢印Ｙに沿って内側に通して、電線６をカバー本体４０内に導入する。
【００４１】
前述したカバー本体４０は、導入開口部５１がコネクタハウジング２と相対するように配されて、矢印Ｙに沿ってコネクタハウジング２に近づけられる。そして、ロック爪４４がコネクタハウジング２のカバーロック部と係合してコネクタハウジング２に取り付けられて、コネクタハウジング２内の端子金具に接続された電線６を内側に位置付けて該電線６の外周を覆う。
【００４２】
導出開口部５２は、カバー本体４０に設けられている。導出開口部５２は、図３等に示すように、第１の開口部５２ａと、第２の開口部５２ｂとを備えている。第１の開口部５２ａは、図３等に示すように、一対の側壁４１、４２の前述した外縁４１ａ、４２ａに連なりかつこれら外縁４１ａ、４２ａと略直交する外縁４１ｂ、４２ｂ同士の間の開口である。第１の開口部５２ａは、導入開口部５１と第２の開口部５２ｂとの間に配されて、導入開口部５１と第２の開口部５２ｂの双方と連通している。第１の開口部５２ａは、導入開口部５１を通ってカバー本体４０内に導入された電線６を内側に通して、矢印Ｘに沿ってカバー本体４０外に導出可能である。矢印Ｘは、前述した嵌合面Ｓに対して平行な方向であり、特許請求の範囲に記載の「一方向」に相当する。
【００４３】
第２の開口部５２ｂは、一対の側壁４１、４２の前述した外縁４１ｂ、４２ｂに連なりかつ外縁４１ａ、４２ａと相対する外縁４１ｃ、４２ｃと、これら外縁４１ｃ、４２ｃに連なる連結壁４３の外縁と、に囲まれた開口である。第２の開口部５２ｂは、導入開口部５１を通ってカバー本体４０内に導入された電線６を内側に通して、矢印Ｙに沿ってカバー本体４０外に導出可能である。矢印Ｙは、前述した嵌合面Ｓに対して直交（交差）する方向、即ち矢印Ｘに直交（交差）する方向であり、特許請求の範囲に記載の「他方向」に相当する。
【００４４】
第１の電線固定部５３ａは、図３に示すように、第１の開口部５２ａの近傍に設けられている。第１の電線固定部５３ａは、平板部５４ａと、ヒンジ５５ａと、係止部としての係止突起５６ａとを備えている。平板部５４ａは、長方形の平板状に形成されている。平板部５４ａの一方の外表面には、電線６が重ねられる。
【００４５】
ヒンジ５５ａは、薄板状に形成され、弾性変形自在（屈曲自在）に形成されている。ヒンジ５５ａの一端は、平板部５４ａの長手方向一端に連なっている。ヒンジ５５ａの他端は、第１の開口部５２ａの近傍の一方の側壁４１の外表面に矢印Ｙに沿って連なっている。ヒンジ５５ａは、平板部５４ａを、一方の側壁４１の外表面に重ねられる格納位置（図３）と、一方の側壁４１の外表面から矢印Ｘに沿って突出して側壁４１、４２と平行に配される延出位置（図５）と、に亘って矢印Ｒ１に沿って回転自在に支持する。ヒンジ５５ａは、弾性変形していない延びた状態のときに平板部５４ａを延出位置に位置付けるように形成されている。
【００４６】
係止突起５６ａは、平板部５４ａの長手方向他端に設けられている。係止突起５６ａは、平板部５４ａが前述した格納位置に位置付けられたときに一方の側壁４１に重ねられる他方の外表面から突出している。係止突起５６ａは、カバー本体４０に設けられた後述する係止孔４６ａに係止可能である。係止突起５６ａは、突起部５７ａと、係止片５８ａとを備えている。突起部５７ａは、角柱状に形成され、平板部５４ａの外表面から突出している。係止片５８ａは、突起部５７ａの先端に連なり、突起部５７ａの突出する方向に直交する方向に突出している。
【００４７】
前述した第１の電線固定部５３ａは、第１の開口部５２ａを通して電線６を矢印Ｘに沿って導出するときには平板部５４ａが延出位置に位置付けられて、第１の開口部５２ａから導出された電線６が平板部５４ａの前述した一方の外表面に重ねられる。そして、電線６と平板部５４ａとに粘着テープ等の固定部材７を巻き付けて、第１の開口部５２ａから導出された電線６を矢印Ｘに沿って固定する。
【００４８】
第２の電線固定部５３ｂは、図４に示すように、第２の開口部５２ｂの近傍に設けられている。第２の電線固定部５３ｂは、平板部５４ｂと、ヒンジ５５ｂと、係止部としての係止突起５６ｂとを備えている。平板部５４ｂは、長方形の平板状に形成されている。平板部５４ｂの一方の外表面には、電線６が重ねられる。
【００４９】
ヒンジ５５ｂは、薄板状に形成され、弾性変形自在（屈曲自在）に設けられている。ヒンジ５５ｂの一端は、平板部５４ｂの長手方向一端に連なっている。ヒンジ５５ｂの他端は、第２の開口部５２ｂの近傍の他方の側壁４２の外表面に矢印Ｘに沿って連なっている。ヒンジ５５ｂは、平板部５４ｂを、他方の側壁４２の外表面に重ねられる格納位置（図４）と、他方の側壁４２の外表面から矢印Ｙに沿って突出して側壁４１、４２と平行に配される延出位置（図６）と、に亘って矢印Ｒ２に沿って回転自在に支持する。ヒンジ５５ｂは、弾性変形していない延びた状態のときに平板部５４ｂを延出位置に位置付けるように形成されている。
【００５０】
係止突起５６ｂは、平板部５４ｂの長手方向他端に設けられている。係止突起５６ｂは、平板部５４ｂが前述した格納位置に位置付けられたときに他方の側壁４２に重ねられる他方の外表面から突出している。係止突起５６ｂは、カバー本体４０に設けられた後述する係止孔４６ｂに係止可能である。係止突起５６ｂは、突起部５７ｂと、係止片５８ｂとを備えている。突起部５７ｂは、角柱状に形成され、平板部５４ｂの外表面から突出している。係止片５８ｂは、突起部５７ｂの先端に連なり、突起部５７ｂの突出する方向に直交する方向に突出している。
【００５１】
前述した第２の電線固定部５３ｂは、第２の開口部５２ｂを通して電線６を矢印Ｙに沿って導出するときには平板部５４ｂが延出位置に位置付けられて、第２の開口部５２ｂから導出された電線６が平板部５４ｂの前述した一方の外表面に重ねられる。そして、電線６と平板部５４ｂとに固定部材７を巻き付けて、第２の開口部５２ｂから導出された電線６を矢印Ｙに沿って固定する。
【００５２】
さらに、カバー本体４０には、前述した係止突起５６ａ、５６ｂとそれぞれ係止する係止受け部としての係止孔４６ａ、４６ｂが設けられている。係止孔４６ａは、図５に示すように、カバー本体４０の一方の側壁４１を貫通している。係止孔４６ａは、平面形状が矩形状に形成され、係止突起５６ａを内部に通すことができる大きさに形成されている。係止孔４６ａは、ヒンジ５５ａを曲げて平板部５４ａが格納位置に位置付けられたときに、係止突起５６ａを内部に通すことが可能な位置に設けられている。
【００５３】
前述した係止孔４６ａは、図３に示すようにヒンジ５５ａを曲げて平板部５４ａが格納位置に位置付けられてカバー本体４０に重ねられると、図７に示すように、内部に突起部５７ａを通すとともにその外縁に係止片５８ａを係止して、係止突起５６ａを係止する。係止突起５６ａが係止孔４６ａ内に係止することによって、平板部５４ａが一方の側壁４１即ちカバー本体４０に重ねられた状態で保持され、平板部５４ａが格納位置で保持される。
【００５４】
係止孔４６ｂは、図６に示すように、カバー本体４０の他方の側壁４２を貫通している。係止孔４６ｂは、平面形状が矩形状に形成され、係止突起５６ｂを内部に通すことができる大きさに形成されている。係止孔４６ｂは、ヒンジ５５ｂを曲げて平板部５４ｂが格納位置に位置付けられたときに、係止突起５６ｂを内部に通すことが可能な位置に設けられている。
【００５５】
前述した係止孔４６ｂは、図４に示すようにヒンジ５５ｂを曲げて平板部５４ｂが格納位置に位置付けられてカバー本体４０に重ねられると、図８に示すように、内部に突起部５７ｂを通すとともにその外縁に係止片５８ｂを係止して、係止突起５６ｂを係止する。係止突起５６ｂが係止孔４６ｂ内に係止することによって、平板部５４ｂが他方の側壁４２即ちカバー本体４０に重ねられた状態で保持され、平板部５４ｂが格納位置で保持される。
【００５６】
以下、まず、前述したコネクタ１を組み立てて電線６を矢印Ｘに沿って導出する場合について説明する。まず、ハウジング本体２０の他方の開口２０ｂ側から電線６が接続された端子金具を端子収容室内に挿入して、コネクタハウジング２内に端子金具を収容する。また、予め、図５に示すように、電線カバー４の係止突起５６ａを係止孔４６ａ内から抜き出して第１の電線固定部５３ａの平板部５４ａを延出位置に位置付けておく。また、係止突起５６ｂを係止孔４６ｂ内に係止して、使用しない第２の電線固定部５３ｂの平板部５４ｂを格納位置に位置付けておく。
【００５７】
その後、ハウジング本体２０の他方の開口２０ｂと電線カバー４の導入開口部５１とを相対させて、コネクタハウジング２と電線カバー４とを矢印Ｙに沿って近づけていく。そして、ハウジング本体２０の他方の開口２０ｂ内にカバー本体４０を挿入してカバーロック部とロック爪４４とを係合させて、コネクタハウジング２に電線カバー４を取り付ける。そして、導入開口部５１からカバー本体４０内に導入された電線６を、カバー本体４０内でＬ字状に曲げて第１の開口部５２ａからカバー本体４０外に導出する。
【００５８】
そして、第１の開口部５２ａから導出された電線６を第１の電線固定部５３ａの平板部５４ａに重ね合わせ、これら電線６と平板部５４ａとに固定部材７を巻き付けて、電線６を第１の電線固定部５３ａに固定する。このとき、係止突起５６ａを中心にして電線６の長手方向両側に固定部材７を巻き付けるようにする。電線６は、第１の開口部５２ａから矢印Ｘ方向に沿って導出されて電線カバー４に固定される。その後、コネクタハウジング２にレバー３を取り付けて、図１に示すコネクタ１が組み立てられる。
【００５９】
次に、電線６を矢印Ｙに沿って導出する場合について説明する。この場合は、予め、図６に示すように、電線カバー４の係止突起５６ｂを係止孔４６ｂ内から抜き出して第２の電線固定部５３ｂの平板部５４ｂを延出位置に位置付けておく。また、係止突起５６ａを係止孔４６ａ内に係止して、使用しない第１の電線固定部５３ａの平板部５４ａを格納位置に位置付けておく。
【００６０】
その後、前述と同様に、コネクタハウジング２に電線カバー４を取り付ける。そして、導入開口部５１からカバー本体４０内に導入された電線６を、カバー本体４０内を通してそのまま第２の開口部５２ｂからカバー本体４０外に導出する。
【００６１】
そして、第２の開口部５２ｂから導出された電線６を第２の電線固定部５３ｂの平板部５４ｂに重ね合わせ、これら電線６との平板部５４ｂとに固定部材７を巻き付けて、電線６を第２の電線固定部５３ｂに固定する。このとき、係止突起５６ｂを中心にして電線６の長手方向両側に固定部材７を巻き付けるようにする。電線６は、第２の開口部５２ｂから矢印Ｙ方向に沿って導出されて電線カバー４に固定される。その後、コネクタハウジング２にレバー３を取り付けて、図２に示すコネクタ１が組み立てられる。
【００６２】
このように組み立てられたコネクタ１を相手方のコネクタと嵌合させる際には、まず、レバー３を初期位置に位置付ける。そして、コネクタハウジング２の一方の開口２０ａ側から相手方のコネクタハウジングを挿入し、連通しているカム孔３４とカム突起通し孔内にカム突起を通す。そして、レバー３を矢印Ｐに沿って回転させてコネクタハウジング２と相手方のコネクタハウジングとを近づけて嵌合させ、ロック部とロック受け部４５とを係合させてレバー３を係止位置に係止する。以上のように、コネクタ１は相手方のコネクタと嵌合する。
【００６３】
本実施形態によれば、第１の開口部５２ａを通して矢印Ｘに沿って電線６をカバー本体４０外に導出でき、第２の開口部５２ｂを通して矢印Ｘに直交（交差）する矢印Ｙに沿って電線６をカバー本体４０外に導出できる。したがって、複数の異なる方向に沿って電線６を導出でき、電線６の導出方向の自由度を向上させることができる。
【００６４】
電線６と第１の電線固定部５３ａとに固定部材７を巻き付けることによって、第１の開口部５２ａを通った電線６を確実に矢印Ｘに沿って導出できる。また、電線６と第２の電線固定部５３ｂとに固定部材７を巻き付けることによって、第２の開口部５２ｂを通った電線６を確実に矢印Ｙに沿って導出できる。さらに、第１の開口部５２ａと第２の開口部５２ｂとが互いに連通して設けられた場合であっても、電線６を確実に矢印Ｘ（あるいは矢印Ｙ）に導出できる。
【００６５】
係止突起５６ａを係止孔４６ａ内に通すことによって係止突起５６ａが係止孔４６ａ内に確実に係止され、平板部５４ａをカバー本体４０に重ね合わせた状態で確実に保持できる。また、係止突起５６ｂを係止孔４６ｂ内に通すことによって係止突起５６ｂが係止孔４６ｂ内に確実に係止され、平板部５４ｂをカバー本体４０に重ね合わせた状態で確実に保持できる。したがって、電線６を固定しない側の平板部５４ａ（平板部５４ｂ）を格納でき、電線カバー４を小型化できる。
【００６６】
係止突起５６ａ（係止突起５６ｂ）を中心にして電線６の長手方向両側に固定部材７を巻き付けることによって、係止突起５６ａ（係止突起５６ｂ）に固定部材７が引っ掛かって、電線６の長手方向に沿った固定部材７のずれを防止できる。
【００６７】
前述した実施形態においては、予め電線６の導出方向を決定し、第１の電線固定部５３ａの平板部５４ａと第２の電線固定部５３ｂの平板部５４ｂとのうち一方を延出位置に位置付けて他方を格納位置に位置付けた後に、電線カバー４をコネクタハウジング２に取り付けていた。しかしながら本発明では、電線カバー４をコネクタハウジング２に取り付けた後に、連通した第１の開口部５２ａ及び第２の開口部５２ｂ内で電線６を移動させて、電線６の導出方向を決定してもよい。また、電線カバー４をコネクタハウジング２に取り付けた後に、平板部５４ａ、５４ｂを延出位置または格納位置に位置付けてもよい。このように、第１の開口部５２ａと第２の開口部５２ｂとが互いに連通しているので、電線６の導出方向を容易に選択でき、電線カバー４を簡単な構造とすることができる。
【００６８】
また、前述した実施形態においては、第２の開口部５２ｂが矢印Ｙ、即ち嵌合面Ｓに直交する方向に沿って電線６を導出可能に設けられていたが、嵌合面Ｓに交差する方向に沿って電線６を導出可能であればよい。また、前述した実施形態においては、第１の開口部５２ａと第２の開口部５２ｂとが互いに連通していたが、電線６を通しにくくなるものの、必ずしも連通していなくてもよい。また、第１の開口部５２ａと第２の開口部５２ｂとが互いに連通していない場合は、必ずしも第１の電線固定部５３ａや第２の電線固定部５３ｂを設けなくてもよい。
【００６９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７０】
【図１】本発明の一実施形態にかかるコネクタを示す斜視図である。
【図２】図１に示された方向と異なる方向に電線を導出したコネクタの斜視図である。
【図３】図１に示された電線カバーにおいて第１及び第２の電線固定部が格納位置にある状態を示す斜視図である。
【図４】図３に示された電線カバーの別方向からの斜視図である。
【図５】図３に示された第１の電線固定部の平板部が延出位置に位置付けられた状態を示す斜視図である。
【図６】図４に示された第２の電線固定部が延出位置に位置付けられた状態を示す斜視図である。
【図７】図３中のＶＩＩ−ＶＩＩ線に沿った断面図である。
【図８】図４中のＶＩＩＩ−ＶＩＩＩ線に沿った断面図である。
【符号の説明】
【００７１】
１    コネクタ
２    コネクタハウジング
４    電線カバー
６    電線
７    固定部材
４０    カバー本体
４１    一方の側壁（外壁）
４２    他方の側壁（外壁）
４６ａ、４６ｂ    係止孔（係止受け部）
５１    導入開口部
５２    導出開口部
５２ａ    第１の開口部
５２ｂ    第２の開口部
５３ａ    第１の電線固定部
５３ｂ    第２の電線固定部
５４ａ、５４ｂ    平板部
５５ａ、５５ｂ    ヒンジ
５６ａ、５６ｂ    係止突起（係止部）
Ｘ    嵌合面に対して平行な方向（一方向）
Ｙ    嵌合面に対して直交（交差）する方向（他方向）
Ｓ    嵌合面
【図１】
2010055978.tif 000003
【図２】
2010055978.tif 000004
【図３】
2010055978.tif 000005
【図４】
2010055978.tif 000006
【図５】
2010055978.tif 000007
【図６】
2010055978.tif 000008
【図７】
2010055978.tif 000009
【図８】
2010055978.tif 000010